(57)【特許請求の範囲】
【請求項１】
手の甲側には親指用の布団部と４指用の４指全体が一体の布団部とからなる籠手布団があり、手の掌側には手の内皮を配し、親指用と他の４指用の指挿入部を持つ剣道の籠手において、
少なくとも４指用の指挿入部の先端の全面もしくは一部に、手の甲側の布団部に近い厚さを持ち、手の甲側の布団部に対して略垂直な位置関係となる布団部が設けられ、
４指用の指挿入部の手の内皮が、指の長さ方向に亘って指の断面形状に近い立体構造に形成されて手の甲側の布団部に取り付けられていることを特徴とする剣道の籠手。
【請求項２】
４指用の指挿入部の手の内皮が、任意の４指の指挿入部を分離独立して、４指の幅方向に亘り４指の断面形状に近い立体構造に形成されている請求項１に記載の剣道の籠手。
【請求項３】
４指用の指挿入部の手の内皮が、４指の指挿入部をそれぞれ分離独立した請求項１または請求項２に記載の剣道の籠手。
【請求項４】
小指の指挿入部の横断面積が、挿入される指の手の内皮内部での移動を可能にするものである請求項１〜請求項３のいずれか１項に記載の剣道の籠手。
【発明の詳細な説明】
【０００１】
【発明の属する技術分野】
本発明は、剣道、薙刀等に用いられる籠手に関するものである。
【０００２】
【従来の技術】
従来の籠手を図１５乃至図１７に示す。図１５に示すように親指部１１と他の４指部１２の二つの指挿入部から構成される手の甲側の布団部１３に、一枚の平面的な手の内皮１４を周縁部１５で縫着することによって形成されている。従って、図１５のａ−ａ横断面である図１７に示すように、親指以外の他の４指は、布団部１３と平面的な手の内皮１４で形成される薄くて狭い空間２３に入るので、各指の動きが制約を受ける。また、手の甲側に配される布団部１３は緩衝効果を高めるため分厚く形成されているので曲げ難く、竹刀を握るには相当の力を要する。一方、剣道においては、小指、薬指、中指が重要な役割を果たし、就中、小指による竹刀の締め付け力が最も必要とされるが、小指の指力は５指中最小である。然るに、小指が位置する端部２４若しくは２５は、最も狭隘であると共に竹刀を締めつける際に分厚い布団部１３を籠手内側、即ち竹刀方向に引っ張り曲げるために最も大きな力を要求される部位であるので、指力の最小な小指にとっては負担が大き過ぎると言う問題がある。更に、図１５のｂ−ｂ横断面である図１６に示すように、布団部１３と手の内皮１４との間に構成される４指挿入部２３は、指の先端部に向かって狭くなっているため、４指が竹刀を握るために分厚い布団部１３を籠手内側、即ち竹刀方向に引っ張り曲げる際に、手の内皮の指先部分が伸ばされて薄くなるので擦り切れ易く耐久性に劣る欠点もある。
【０００３】
前記の問題を解決すべく、５指全部を独立分離した籠手が開発されている。この籠手における各指の動きは容易であり、その点では優れているが、反面、製造に手数を要し高価であること、また、修理が非常に困難であること、更に、各指が独立分離されているため、竹刀での打突、稽古相手との衝突等によって何れかの指に大きな負荷が掛かると、その指が独力で荷重を受けることになり指が損傷する危険がある。或いはまた、古来から籠手は、親指部と他の４指部に別れた形状であり、その外観に長年に亘って慣れ親しんで来た剣道人には違和感を与え、受け入れられ難い問題もある。
【０００４】
【発明が解決しようとする課題】
本発明では、従来の籠手の外観は変えることなく、分厚い布団部の曲げ難さにも拘わらず、実質的に指の動作を容易にし、特に小指、薬指、中指の動きを制約せず、竹刀を握る力を向上させ、手の内皮の耐久性を高め、危険性を最小にすること等を課題とする。
【０００５】
【課題を解決するための手段】
本発明による上述の問題点を解決する手段は、次のとおりである。
請求項１に係る発明は、手の甲側には親指用の布団部と４指用の４指全体が一体の布団部とからなる籠手布団があり、手の掌側には手の内皮を配し、親指用と他の４指用の指挿入部を持つ剣道の籠手において、少なくとも４指用の指挿入部の先端の全面もしくは一部に、手の甲側の布団部に近い厚さを持ち、手の甲側の布団部に対して略垂直な位置関係となる布団部が設けられ、４指用の指挿入部の手の内皮が、指の長さ方向に亘って指の断面形状に近い立体構造に形成されて手の甲側の布団部に取り付けられていることを特徴とする剣道の籠手である。
請求項２に係る発明は、４指用の指挿入部の手の内皮が、任意の４指の指挿入部を分離独立して、４指の幅方向に亘り４指の断面形状に近い立体構造に形成されている請求項１に記載の剣道の籠手である。
請求項３に係る発明は、４指用の指挿入部の手の内皮が、４指の指挿入部をそれぞれ分離独立した請求項１または請求項２に記載の剣道の籠手である。
請求項４に係る発明は、小指の指挿入部の横断面積が、挿入される指の手の内皮内部での移動を可能にするものである請求項１〜請求項３のいずれか１項に記載の剣道の籠手である。
【０００６】
【発明の実施の形態】
【０００７】
【実施例１】
図１乃至図２は、請求項１項に係わる実施例を示す図で、図１が正面図、図２は指先先端の断面図で、図１のｄ−ｄ横断面を示すものである。図２は、手の甲側布団部３１と手の内皮３２との間に形成される４指挿入部３３の先端部の横断面垂直面に布団部３４を設けた実施例を示している。図１６に示される従来の籠手に形成される指挿入部２３は先端部ほど薄いので、挿入された指が手の甲側の布団部の最先端に位置することはなく、また、該布団部が竹刀を握ると指の動きに追随して指の先端を覆い保護するようになっているので、布団部を屈曲させるのにかなりの力を要する。然るに、本発明による籠手においては、指挿入部を立体的に形成してあるので、指の動きの自由度が高く、しかも指先端に相当する位置に布団部３４が設けられているので、指の動きに布団部が追随する割合が比較的に小さく、大きな力で布団部を屈曲させる必要がないので、大部分の指の力を竹刀を握るための力として用いることができる。指挿入部の横断面積を広くしておくと、指の自由度をより高め、竹刀を握る力をより強くできる。また布団部３４を設けたものは、指の先端を保護するとともに、外観性の向上にも効果がある。
【０００８】
図３は、手の甲側の布団部４０を、指挿入部の先端垂直面に延伸して設けた例を示している。この目的と効果は、図２の例と同様であるが、図２における布団部の断点部３５が存在しない点において、危険性排除と外観性向上効果が大きくなる利点がある。
【０００９】
図１に示すように、全体の外観は、指挿入部を親指部４１と他の４指挿入部４２とに分離した従来技術の籠手に倣って文化的違和感を排除してある。
【００１０】
【実施例２】
図４及び図５は他の実施例を示す図で、図４はその正面図、図５は図４のｃ−ｃ断面図である。この例では、４指挿入部４２に設けられる手の内皮３２は、４指がそれぞれ独立した指挿入部４４、４５、４６、４７に立体的に分離して形成され、手の甲側の布団部４８と周縁部４９で縫着されている。指の先端に相当する部分に布団部５０が設けられている点は、前述した実施例と同様である。
【００１１】
図５に示す図４のｃ−ｃ横断面図のとおり、各４指が分離されているのでそれぞれ隣接する他指に動きを制約されることがなく使い易い籠手が得られる。各指が挿入される４４、４５、４６、４７の横断面積は、挿入される指の横断面積より相当に大きいことが好ましく、少なくとも小指挿入部の横断面積は、小指の横断面積の１．５倍以上が望ましく、その結果、小指の動きはより自由となり、更に小指が竹刀を締めつける際に分厚い布団部を引っ張り曲げる割合が更に小さくなるので小指の負担が軽く、竹刀締め付け力が飛躍的に増大する効果がある。
【００１２】
図６は、４指が分離した他の実施例に関するもので、図４のｃ−ｃ断面図に相当する部分断面図である。この例の特徴は中指と薬指の挿入部の横断面が４辺からなる略ボックス形状に形成されていることにある。即ち、親指挿入部６１は布団部６０と親指挿入部６１とを隔絶する裏布６６と手の内皮６７との２辺で構成され、人指し指挿入部６２と小指挿入部６５は裏布６６と手の内皮６７と片側の側面材６８との３辺で構成されているのに対して、中指挿入部６３と薬指挿入部６４は裏布６６と手の内皮６７とそれぞれ両側面に設けられた両側面材６８との４辺で構成されている。
【００１３】
一枚の手の内皮用の材料を手の内皮の形状に裁断する時に、親指は左右に、人指し指は左手の場合は左に、小指は右に、それぞれ指の幅より広く裁断する余裕があるので、親指部６１は６６と６７の２辺、人指し指部６２と小指部６５は６６と６７と片側の６８の３辺のみでそれぞれの指挿入部を立体的に形成可能である。然るに、中指部と薬指部の場合はその余地がなく、従って立体的に形成するためには両側面に側面材６８を要するが、その結果、必要に応じた横断面積を有する指挿入部を形成でき、使い易い籠手を得られる効果がある。
【００１４】
【実施例３】
図７及び図８は、更に他の実施例を示す図で、図７は正面図、図８は図７のｅ−ｅ断面図である。前述の如く、剣道においては、中指、薬指、小指による竹刀の締め付けが重要であるが、特に小指が重視される。従って、４指挿入部において、４指全てが独立分離していなくともよく、図７、図８のように小指のみ分離した小指挿入部５１を設けてていてもよく、或いは、図９に示すように小指と薬指だけ分離していてもよい。また、図１０に示すように薬指と中指の中間で２つに分離独立させてもよい。以上のように任意の４指挿入部を分離独立した立体構造に形成することができる。更に、分離独立の態様は、図１１のように各指間に隔壁を設ける形態でもよく、前述したのと同様の効果がある。
【００１５】
【実施例４】
図１２は、親指以外の４指挿入部を構成する手の内皮部の長さ方向先端部の一部に布団部５０を設けたものの例を示す正面図である。この例では、薬指、中指を中心に布団部を設けてあり、小指、人差し指の方向に向かって漸次該布団部が減少して、両端部においては該布団部が消滅した形状となっている。本実施例の籠手においては、図１に示したものと同様の効果があるほかに、人差し指部における布団部が右端面で消滅しているので、竹刀を把握する際に、親指部と布団部が干渉することを防止し、竹刀の操作性を向上することができる。
【００１６】
また、小指部の左端部において布団部が消滅しているため、図１に示す実施例と同様の効果を維持しつつ、外観をより一層従来の籠手に近づけることができ、より文化的違和感を減少できる。また、本実施例では、布団部５０は薬指、中指を中心に設けてあるが、小指、薬指、中指の３指を中心に布団部を設けることもでき、布団部の設定部位は、任意の５指に対して設けることができる。
【実施例５】
図１３および図１４は更に他の実施例を示す図で、図１３は正面図、図１４は図１３のｃーｃ断面図である。この例では図１２に示される籠手において、その４指挿入部の手の内皮を、４指とも分離独立した立体構造に形成した例である。図１４に示すように、小指、人差し指部は、図５に示すのと同様の断面形状をもち、薬指部、中指部は、図６に示すと同様の４辺からなる略ボックス状に形成される断面形状にそれぞれ立体的に形成されており、前述したのと同様の効果がある。
【００１７】
【発明の効果】
以上説明したように、本発明は、従来からの籠手の文化的親和感を損なうことなく、各指、特に小指、薬指、中指の運動の自由度を高めることが可能となり、使い易さと耐久性に富む籠手を得ることが出来るものである。
【図面の簡単な説明】
【図１】本発明の実施例の正面図である。
【図２】本発明の実施例の指挿入部の断面図である。
【図３】本発明の実施例の指挿入部の断面図である。
【図４】本発明の実施例の正面図である。
【図５】本発明の実施例の指挿入部の断面図である。
【図６】本発明の実施例の指挿入部の断面図である。
【図７】本発明の実施例の正面図である。
【図８】本発明の実施例の指挿入部の断面図である。
【図９】本発明の実施例の指挿入部の断面図である。
【図１０】本発明の実施例の指挿入部の断面図である。
【図１１】本発明の実施例の指挿入部の断面図である。
【図１２】本発明の実施例の正面図である。
【図１３】本発明の実施例の正面図である。
【図１４】本発明の実施例の指挿入部の断面図である。
【図１５】従来の籠手の正面図である。
【図１６】従来の籠手の指挿入部の断面図である。
【図１７】従来の籠手の指挿入部の断面図である。
【符号の説明】
３１、手の甲側布団部
３２、手の内皮３２
３３、４指挿入部３３
３４、先端部の横断面に設けた布団部
３５、布団部の断点部
４０、手の甲側の布団部
４１、親指部
４２、４指挿入部
４４、指挿入部
４５、指挿入部
４６、指挿入部
４７、指挿入部
４８、手の甲側の布団部
４９、周縁部
５０、布団部
５１、指挿入部
【図１】
0003754754.tif 000002
【図２】
0003754754.tif 000003
【図３】
0003754754.tif 000004
【図４】
0003754754.tif 000005
【図５】
0003754754.tif 000006
【図６】
0003754754.tif 000007
【図７】
0003754754.tif 000008
【図８】
0003754754.tif 000009
【図９】
0003754754.tif 000010
【図１０】
0003754754.tif 000011
【図１１】
0003754754.tif 000012
【図１２】
0003754754.tif 000013
【図１３】
0003754754.tif 000014
【図１４】
0003754754.tif 000015
【図１５】
0003754754.tif 000016
【図１６】
0003754754.tif 000017
【図１７】
0003754754.tif 000018